(57)【要約】物品を支持する面に樹脂製の滑り止めを設けた支持板と、支持板を所定の姿勢にして保持する保持手段として保持板、ヒンジ、フックバーおよび係合溝を備えた物品支持装置としたことにより、物品の付け外しを容易にし、各種物品に対する適用範囲を拡大した。
2003024284.tif 000002
【特許請求の範囲】
【請求項１】
物品を支持する面に樹脂製の滑り止めを設けた支持板と、支持板を所定の姿勢にして保持する保持手段を備えたことを特徴とする物品支持装置。
【請求項２】
保持手段が、支持板を角度調整可能に保持する手段であることを特徴とする請求項１に記載の物品支持装置。
【請求項３】
保持手段が、物品を支持する面に滑り止めを設けた第２の支持板を備えていることを特徴とする請求項１または２に記載の物品支持装置。
【請求項４】
支持板が、少なくとも傾斜状態で下側となる端面に樹脂製の滑り止めが設けてあることを特徴とする請求項１〜３のいずれかに記載の物品支持装置。
【請求項５】
滑り止めが、樹脂製の支持板に対して二重成形により一体的に形成してあることを特徴とする請求項１〜４のいずれかに記載の物品支持装置。
【発明の詳細な説明】
技術分野
本発明は、物品支持装置に関し、とくに、商品等の展示台あるいはシート類や小物類等の支持台として用いるのに好適な物品支持装置に関するものである。
背景技術
近年、商品やサービスの宣伝・広告を省スペースで行うことができ、しかも商品等を目立たせ、消費者の購買意欲を喚起するためのものとして、いわゆるＰＯＰ製品が種々開発されている。これらのＰＯＰ製品において、例えば商品を展示するためのＰＯＰ用の物品支持装置としては、ボードに商品を貼り付けたりクリップ類で挟み付けたりするものがあった。
ところが、上記したような従来のＰＯＰ用の物品支持装置にあっては、ボードに商品を貼り付けるものは、商品を手に取って見ることができず、また、使用しているうちに接着剤等でボードが汚れてしまうなどの不具合があった。さらに、ボードにクリップ類で商品を挟み付けるものは、クリップの構造により展示できる商品が限られてしまうなどの不具合があった。
発明の開示
本発明は、上記従来の状況に鑑みて成されたもので、接着剤やクリップ等の物品の固定手段が不要であり、物品の付け外しがきわめて容易であると共に、各種物品に対する適用範囲を拡大することができる物品支持装置を提供することを目的としている。
本発明に係わる物品支持装置は、物品を支持する面に樹脂製の滑り止めを設けた支持板と、支持板を所定の姿勢にして保持する保持手段を備えたことを特徴としている。
上記構成において、支持板には、プラスチックや金属等の各種材料を用いることができると共に、様々な色彩（透明を含む）や形状を採用することが可能である。滑り止めには、例えばアクリル系熱可塑性エラストマーが用いられるが、当然その他の樹脂を用いることも可能である。この滑り止めは、支持板における物品の支持面に対して全体あるいは一部に設けることができ、一部に設ける場合には、点状、線状および適宜の平面形状等とし、これらを支持板上に規則的に配置するのがより良い。また、滑り止めは、後記する二重成形のように支持板の成形に続いて同支持板に一体成形したり、予め成形した支持板上に後加工として成形したりすることができるほか、支持板に対して別工程で成形した滑り止めを加熱や接着剤などの手段で固着させるようにしても良い。保持手段には、様々な構成を採用することができ、当該装置を載置面上で自立させるものだけでなく、他の構造体への固定手段を備えたものも含まれる。
また、本発明に係わる物品支持装置は、保持手段が、支持板を角度調整可能に保持する手段であることを特徴としている。
さらに、本発明に係わる物品支持装置は、保持手段が、物品を支持する面に滑り止めを設けた第２の支持板を備えていることを特徴としている。
さらに、本発明に係わる物品支持装置は、支持板が、少なくとも傾斜状態で下側となる端面に樹脂製の滑り止めが設けてあることを特徴としている。
さらに、本発明に係わる物品支持装置は、滑り止めが、樹脂製の支持板に対して二重成形により一体的に形成してあることを特徴としている。
本発明に係わる物品支持装置では、保持手段によって支持板を傾斜状態などの所定の姿勢に保持し、この支持板に物品を取り付ける。このとき、支持板には樹脂製の滑り止めが設けてあるので、滑り止めによる摩擦力で物品を取り付け状態に維持する。
発明を実施するための最良の形態
図１〜図３は、本発明に係わる物品支持装置の第１の実施例を説明する図である。図１に示す物品支持装置１は、長方形の支持板２と、この支持板２とほぼ同じ大きさの保持板３を備えている。支持板２および保持板３は、互いに長辺を縦にした状態にして、上側の短辺同士がヒンジ４で回動自在に連結してある。
支持板２は、透明なプラスチック製であって、図３にも示すように、物品を支持する表側の面に、樹脂製の滑り止め５が二重成形により一体的に形成してある。滑り止め５の材料は、支持板２の材料との相性などを考慮して適宜選択され、例えばアクリル系熱可塑性エラストマーが用いられる。
この実施例の滑り止め５は、概略矩形のシート状を成すものが上下方向に等間隔で３箇所に配置してあると共に、表側の面から下側の端面に至る部分にも設けられている。なお、図示は省略したが、滑り止め５は、その表面に微細な凹凸を形成して機能をより高めるようにすることもできる。
また、支持板２は、裏側の面の下部近傍に、フックバー６の一端部が連結してある。この連結には、フックバー６の一端部に設けた連結ボール７と、支持板２側において連結ボール７と球面対偶を成すボール受け８とで構成されるボールジョイントが用いられている。フックバー６は、その他端部側から調整バー９が摺動自在に挿設してあると共に、回転操作により調整バー９を任意の摺動位置で固定するロックねじ１０を備えている。さらに、調整バー９の先端には、保持板３に対する係合ボール１１が設けてある。
保持板３は、支持板２と同様にプラスチック製であり、図３にも示すように、下端部に滑り止め１２が一体的に設けてあると共に、表裏に開放した２つの係合溝１３が形成してある。係合溝１３は、係合ボール１１の直径よりも小さい幅を有すると共に、保持板３の上下方向に形成した直線部１３Ａと、直線部１３Ａから斜め下方に向かう複数の分岐部１３Ｂを備えており、直線部１３Ａの上端には、係合ボール１１を通過させるボール挿入部１３Ｃが形成してある。分岐部１３Ｂは、フックバー６の位置決め部分として選択的に用いるものであり、上下方向に所定の間隔で形成してある。また、係合溝１３には、その縁に添って滑り止め１４が一体的に設けてある。
上記の物品支持装置１は、主として、保持板３、ヒンジ４、フックバー６および係合溝１３により、支持板２を所定の姿勢にして保持し且つ支持板２を角度調整可能に保持する保持手段を構成している。
この物品支持装置１は、図３（ｃ）に示すように、支持板２にフックバー６を添わせると共に、支持板２の表側の面（滑り止め５を設けた面）に保持板３を合わせた状態にすることで、コンパクトに収納し得るものとなる。
また、使用する場合には、図３（ｃ）の状態からヒンジ４を中心にして保持板３を支持板２の裏側に回動させ、フックバー６の係合ボール１１を係合溝１３のボール挿入部１３Ｃに通してフックバー６を直線部１３Ａに移動させ、さらに適宜選択した分岐部１３Ｂにフックバー６を位置決めする。これにより、支持板２と保持板３が一定の角度を成す状態で互いの回動が規制され、図２（ａ）に示す如く設置面Ｆに起立させることができる。
そして、傾斜状態となった支持板２に、物品Ａ１を取り付ける。このとき、当該物品支持装置１では、支持板２に樹脂製の滑り止め５が設けてあるので、この滑り止め５による摩擦力で物品Ａ１の取り付け状態を維持することとなり、物品Ａ１の付け外しもきわめて容易である。また、支持板２および保持板３の下端部にも樹脂製の滑り止め５，１２が設けてあるので、より安定した起立状態が得られると共に、設置面Ｆに損傷を与えることも無い。
上記の物品支持装置１をＰＯＰ用の展示台として用いた場合には、支持板２を傾斜状態に保持して商品等を取り付けることで、商品等を非常に見やすい姿勢にして展示し得ることとなり、接着剤やクリップなどの固定手段を何ら用いないので、商品等を手に取って見ることも容易であり、商品等の全面を見せることができると共に、商品等の様々な大きさや形状に対応し得るものとなる。また、支持板２が透明であるから、当該装置を商品やショーケースの上に置いても、その下側が隠れたり暗くなったりすることが無い。
また、物品支持装置１は、図２（ａ）（ｂ）に示すように、物品Ａ１，Ａ２の重量や大きさなどに応じて支持板２の傾斜角度を調整することができる。この場合、係合ボール１１と係合溝１３との係合位置（分岐部１３Ｂ）を選択することで、図２（ａ）（ｂ）に示す如く支持板２と保持板３とが成す角度すなわち支持板２の傾斜角度を変えることができ、調整バー９の摺動位置を調整してフックバー６の全体の長さを変えれば、係合ボール１１と係合溝１３との係合位置を変えずに支持板２の傾斜角度を変えることができ、さらに、最長にしたフックバー６を最上段の分岐部１３Ｂに係合すれば、図２（ｃ）に示すように、支持板２と保持板３とが成す角度が最大となって支持板２の傾斜角度を最も緩やかにすることができる。
図４および図５は、本発明に係わる物品支持装置の第２の実施例を説明する図である。なお、先の実施例と同一の構成部位は、同一符号を付して詳細な説明を省略する。
図４に示す物品支持装置２１は、支持板２と、この支持板２とほぼ同じ大きさの第２の支持板２２を備えている。両支持板２，２２は、互いの裏面の中心にボール受け８，８が設けてあり、各ボール受け８とともにボールジョイントを構成する連結ボール７を両端に設けた連結バー２３によって連結してある。したがって、両支持板２，２２は、互いに直交する３軸回りに回動可能である。
ここで、この実施例では、各ボール受け８と連結ボール７とが所定の摩擦力をもって球面接触しており、その摩擦力を超える負荷により回動させることができると共に、摩擦力によって任意の回動位置を維持するものとなっている。
さらに、両支持板２，２２は、その表面に、概略半球状を成す多数の樹脂製滑り止め２４が規則的に並べて形成してあり、端面にも樹脂製滑り止め２５が形成してある。これらの滑り止め２４，２５も二重成形により一体的に形成することができる。
上記の物品支持装置２１は、主として、第２の支持板２２および連結バー２３により、支持板２を所定の姿勢にして保持し且つ支持板２を角度調整可能に保持する保持手段を構成している。
この物品支持装置２１は、図５（ａ）にも示すように、第２の支持板２２を設置面Ｆに当接させた状態にし、第２の支持板２２と連結バー２３の角度、および連結バー２３と支持板２の角度を調整することで起立状態となり、傾斜した支持板２において物品Ａ３を支持する。このとき、当該物品支持装置２１は、第２の支持板２の表面にも滑り止め２４が設けてあるので、より安定した起立状態が得られると共に、設置面Ｆに損傷を与えることも無い。なお、図５（ａ）では支持板２を設置面Ｆから離間させているが、支持板２の下端が設置面Ｆに当接する状態に起立させることも当然できる。
また、図５（ｂ）に示すように、両支持板２，２２を相反する向きに傾斜させることにより、それぞれにおいて物品Ａ３，Ａ３を支持することができる。さらに、第２の支持板２２を設置面Ｆに当接させて支持板２を設置面Ｆから離間させた起立状態では、図５（ｃ）に示すように、設置面Ｆとの間で支持板２よりも明らかに大きい物品Ａ４を支持することができる。
そしてさらに、両支持板２，２２は、互いに面に沿う方向にも回動させることができるので、図５（ｄ）（ｅ）に示すように、互いの長辺が同一方向となる姿勢や互いの長辺が交差する方向となる姿勢にすることができ、また、図５（ｆ）に示す如く互いに同一面状に連なるようにすれば収納に便利である。
そしてさらに、当該物品支持装置２１は、第２の支持板２２を設置面Ｆに当接させた場合、支持板２を水平に保持することも可能であるから、例えば眼鏡や腕時計等の小物類を置く支持台として用いることができ、各種物品に対する適用範囲がより拡大されたものとなる。
図６および図７は、本発明に係わる物品支持装置の第３の実施例を説明する図である。
図６に示す物品支持装置３１は、支持板２と、この支持板２とほぼ同じ大きさの第２の支持板３２を備えている。両支持板２，２２は、互いの裏面の中央に、短辺方向と平行な筒状部３３が一体的に設けてあり、双方の筒状部３３の円形内孔に両端が回動可能に係合する一対の連結アーム３４によって連結してある。
ここで、この実施例では、筒状部３３の内孔と連結アーム３４とが所定の摩擦力をもって接触しており、その摩擦力を超える負荷により回動させることができると共に、摩擦力によって任意の回動位置を維持するものとなっている。
さらに、両支持板２，２２は、その表面に、短辺方向に沿う線状の樹脂製滑り止め３５が所定間隔で形成してあると共に、短辺側の端面にも樹脂製滑り止め３６が形成してある。
上記の物品支持装置３１は、主として、第２の支持板３２および連結アーム３４により、支持板２を所定の姿勢にして保持し且つ支持板２を角度調整可能に保持する保持手段を構成している。
この物品支持装置３１は、図７（ａ）に示すように、両支持板２，２２の裏面が合うように折り畳めば、コンパクトにして収納することができ、図７（ｂ）に示すように、両支持板２，２２を相反する方向に傾斜させれば、２つの物品Ａ５，Ａ５を支持することができる。
また、図７（ｃ）に示すように、支持板２の裏面に第２の支持板２２の上端が接する状態にすれば、２つの物品Ａ５，Ａ５の支持が可能であるうえに、第２の支持板２２が支持板２の支えとして働くこととなり、さらに、第２の支持板２２を設置面Ｆに当接させれば、図７（ｄ）に示す如く支持板２を傾斜状態に保持することができ、この場合、支持板２を水平状態に保持することもできる。
図８および図９は、本発明に係わる物品支持装置の第４および第５の実施例を説明する図である。
図８に示す物品支持装置４１は、支持板２と保持板４２を備えると共に、双方を各々のボール受け７，７と両端に連結ボール８，８を有する連結バー４３で回動可能に連結したものである。このとき、ボール受け７と連結ボール８は、先の実施例と同様にボールジョイントを構成すると共に、所定の摩擦力をもって球面接触している。
また、支持板２の表面には、その長辺方向へ沿って蛇行した帯状の樹脂製滑り止め４４が所定間隔で形成してある。さらに、支持板２および保持板４２は、下側の端面に樹脂製の滑り止め４５，４６が一体的に形成してあると共に、上側には、上方向および左右方向に開放されたスリット４７，４８が形成してある。
図９に示す物品支持装置５１は、図８に示す装置と同様に支持板２と保持板５２を備えている。支持板２と保持板５２は、互いの対向面に連結溝５３，５４を有し、双方の連結溝５３，５４に係合する連結プレート５５により互いに回動可能に連結してある。このとき、連結溝５３，５４は円弧状の断面を有し、これに対して、連結部プレート５５の両端には断面円形の連結部５５Ａが設けてあり、連結溝５３，５４と連結プレート５５の連結部５５Ａは所定の摩擦力をもって接触している。
また、支持板２の表面には、長辺方向に沿う直線帯状の樹脂製滑り止め５６が所定間隔で形成してあると共に、支持板２と保持板５２には、図８に示す装置と同様に、下側の滑り止め５７，５７およびスリット５８，５９が設けてある。
上記の各物品支持装置４１，５１は、主として保持板４２，５２と、連結バー４３あるいは連結プレート５５により、支持板２を所定の姿勢にして保持し且つ支持板２を角度調整可能に保持する保持手段を構成している。
これらの物品支持装置４１，５１は、図１０（ａ）に示すように、支持板２と保持板４２，５２を合わせるように折り畳むことにより、コンパクトにして収納することができ、また、支持板２と連結バー４３あるいは連結プレート５５との角度や、連結バー４３あるいは連結プレート５５と保持板４２，５２との角度を適宜調整することにより、図１０（ｂ）に示す如く起立させ、支持板２を傾斜状態に保持すると共に、支持板２において物品Ａ６を支持する。
さらに、上記各物品支持装置４１，５１は、図１０（ｃ）〜（ｅ）に示すように、スリット４７，４８および５８，５９に、各種断面形状に折り曲げたシートＳ１〜Ｓ３の両側を差し込むことができる。つまり、当該物品支持装置４１，５１は、ＰＯＰ用の展示台として非常に好適なものであって、物品Ａ６として商品を展示すると共に、その宣伝・広告を表示したシートＳ１〜Ｓ３を取り付けることにより立体ＰＯＰとすることができる。
図１１および図１２は、本発明に係わる物品支持装置の第６の実施例を説明する図である。
図１１に示す物品支持装置６１は、支持板２と、この支持板２とほぼ同じ大きさの保持板６２を備えている。支持板２と保持板６２は、互いの上端部同士をヒンジ６３で回動自在に連結してある。支持板２の表面には、長辺方向に沿う直線状の溝を形成したシート状の樹脂製滑り止め６４が形成してあり、支持板２および保持板６２の下側の端面にも、樹脂製滑り止め６５，６６が形成してある。
さらに、支持板２の裏面の下部近傍には、半円形のリング部６７が設けてあり、これに対して、保持板６２の下部近傍には、表裏に開口した挿通孔６８が形成してある。そして、リング６７に紐６９を掛けると共に、この紐６９を挿通孔６８に通し、さらに、紐６９に挿通孔６８よりも大きい止め玉７０を設けた構成になっている。
止め玉７０は、例えば衣類等における紐の長さ調整具と同様に、紐６９を挿通させていると共に、ばねにより突出方向に付勢されて紐６９を挿通部分で拘束するボタン７１を備え、このボタン７１を押すことにより、紐６９の拘束を解除して長さ調整を可能にするものである。
上記の物品支持装置６１は、主として保持板６２、ヒンジ６３、紐６９および止め玉７０により、支持板２を所定の姿勢にして保持し且つ支持板２を角度調整可能に保持する保持手段を構成している。
この物品支持装置６１は、支持板２と保持板６２が回動自在であるため、図１２（ａ）に示すようにコンパクトに折り畳むことができ、紐６９の長さを調整することで支持板２と保持板６２とが成す角度（開く角度）が決定され、支持板２を傾斜状態に保持して物品を支持する。なお、この実施例の物品支持装置６１は、保持板６２の表面に滑り止めを設ければ、この保持板６２を第２の支持板として用いることも可能となる。
図１３は、本発明に係わる物品支持装置の第７の実施例を説明する図である。図示の物品支持装置８１は、保持用吸盤８２を備え、支持板２と保持用吸盤８２を連結バー８３および連結ピース８４で連結したものとなっている。支持板２の裏面には連結用ボール８５が設けてあり、保持用吸盤８２にはボール受け８６が設けてある。また、連結バー８３は、両端に連結ボール８７，８７を備え、連結ピース８４は、両端にボール受け８８，８８を備えている。これらの連結ボール８５，８７およびボール受け８６，８８は、先の実施例と同様に、所定の摩擦力をもって球面対偶を成すボールジョイントを構成する。
そして、支持板２の連結ボール８５と連結ピース８４の一方のボール受け８８を回動可能に嵌合し、連結ピース８４の他方のボール受け８８と保持用吸盤８２のボール受け８６に、連結バー８３の連結ボール８７，８７を各々回動可能に嵌合している。
上記の物品支持装置８１は、主として保持用吸盤８２、連結バー８３および連結ピース８４により、支持板２を所定の姿勢にして保持し且つ支持板２を角度調整可能に保持する保持手段を構成している。
この物品支持装置８１は、先の各実施例と同様の効果が得られるうえに、保持用吸盤８２を設置面に吸着させることにより、当該装置の姿勢をより確実に維持して物品を支持し得るものとなる。
図１４は、本発明に係わる物品支持装置の第８の実施例を説明する図である。図示の物品ピン支持装置９１は、図１３に示す物品支持装置８１の保持用吸盤に代えて、ボール受け９６を有する保持プレート９２を設けたものである。この保持プレート９２には、一対のプレートを所定間隔で立設したボード立て９９が設けてある。その他の連結ボール９７を有する連結バー９３、ボール受け９８を有する連結ピース９４、および支持板２の連結ボール９５は、図１３に示す実施例と同様である。
上記の物品支持装置９１は、主として保持プレート９２、連結バー９３および連結ピース９４により、支持板２を所定の姿勢にして保持し且つ支持板２を角度調整可能に保持する保持手段を構成している。
この物品支持装置９１は、先の各実施例と同様の効果が得られるうえに、保持用吸盤９２を設置面に接触させることにより、当該装置の姿勢を確実に維持して物品を支持し得るものとなる。また、当該装置は、ＰＯＰ用の展示台として用いるのに好適であり、例えば、ボード立て９９に商品の宣伝・広告を表示したボードを立てることができる。
図１５は、本発明に係わる物品支持装置の第９の実施例を説明する図である。図示の物品支持装置１０１は、保持用クリップ１０２を備え、支持板２と保持用クリップ１０２を複数の連結ピース１０３，１０４で連結している。支持板２の表面には、シート状の樹脂製滑り止め１１０が形成してある。
支持板２の裏面と保持用クリップ１０２には、連結ボール１０５，１０６が設けてある。連結ピースは、両側にボール受け１０７，１０７を有する第１の連結ピース１０３と、ボール受け１０８と連結ボール１０９を有する第２の連結ピース１０４があり、この実施例では、第１連結ピース１０３を１個、第２連結ピース１０４を４個用いている。これらの連結ボール１０５，１０６，１０９およびボール受け１０７，１０８は、先の実施例と同様に、所定の摩擦力をもって球面対偶を成すボールジョイントを構成する。
そして、支持板２の連結ボール１０５と第１連結ピース１０３の一方のボール受け１０７とを回動可能に嵌合し、第１連結ピース１０３に対して４個の第２連結ピース１０４を次々に連結し、最後の第２連結ピース１０４のボール受け１０８と保持用クリップ１０２の連結ボール１０６を回動可能に嵌合する。
上記の物品支持装置１０１は、主として保持用クリップ１０２、第１および第２の連結ピース１０３，１０４により、支持板２を所定の姿勢にして保持し且つ支持板２を角度調整可能に保持する保持手段を構成している。
この物品支持装置１０１は、保持用クリップ１０２を別の構造体Ｂに挟み付けて用いられる。したがって、この物品支持装置１０１は、図示の如き構造体Ｂの水平部分以外に、傾斜部分や垂直部分にも取り付けることが可能であり、取り付けの自由度が高いものとなっている。
また、物品支持装置１０１は、保持手段が、複数の連結ピース１０３，１０４によって多関節体を構成しているので、支持板２の姿勢を自由に設定して物品を支持することができる。さらに、支持板２を水平に保持することができるので、ＰＯＰ用の展示台のほか、小物類を置く支持台として用いることができ、先述の取り付けの自由度向上と相俟って、適用範囲のさらなる拡大を実現し得るものとなっている。
図１６および図１７は、本発明に係わる物品支持装置の第１０の実施例を説明する図である。図示の物品支持装置１１１は、支持板２とほぼ同じ大きさの第２の支持板１１２を備え、両支持板２，１１２の上端部をヒンジ１１３で回動可能に連結している。このとき、ヒンジ１１３は、軸１１３Ａとその挿通部１１３Ｂとが所定の摩擦力をもって接触しており、任意の回動位置を維持し得るものとなっている。また、両支持板２，１１２は、図１に示す実施例と同様に、３つのシート状の滑り止め１１４，１１５と、表面から下側の端面に至る滑り止め１１６，１１７が設けてある。
上記の物品支持装置１１１は、主としてヒンジ１１３により、支持板２を所定の姿勢にして保持し且つ支持板２を角度調整可能に保持する保持手段を構成している。
この物品支持装置１０１は、きわめて簡単な構造であって、図１７（ａ）に示すように、両支持板２，１１２の裏面を合わせた状態にすることでコンパクトにして収納することができ、図１７（ｂ）に示すように、両支持板２，１１２を適宜の角度にすることで設置面Ｆに起立して物品を支持することができ、図１７（ｃ）に示すように、第２の支持板１１２を設置面Ｆに当接させて支持板２を起立させることもできる。また、ヒンジ１１３の位置を両支持板２，１１２の裏面側にオフセットさせておけば、両支持板２，１１２の成す角度を１８０度にして双方の表面を同一面状に連ねることができ、この状態で他の構造物に立て掛ければ、より大きな物品を支持することも可能である。
なお、本発明に係わる物品支持装置は、その具体的な構造が上記各実施例に限定されることは無く、例えば支持板の形状や色彩などを様々に変更することができるのは当然であり、各実施例の構造を組合わせたり保持手段の細部などを適宜変更したりすることができる。
産業上の利用可能性
本発明に係わる物品支持装置によれば、接着剤やクリップ等の固定手段が不要となり、物品の付け外しをきわめて簡単に行うことができると共に、取り付けた物品を確実に支持することができる。そして、ＰＯＰ用の展示台として用いた場合には、支持板を傾斜状態に保持して商品等を取り付けることで、商品等を非常に見やすい姿勢にして展示することができ、また、固定手段を用いないので商品等を手に取って見ることも容易であり、とくに、クリップを廃止したことで、商品等の全面を見せることができると共に、商品の様々な大きさや形状に対応することができる。さらに、ＰＯＰ用の展示台としてだけでなく、例えば、シート類やボード類の支持台、あるいは眼鏡や腕時計などの小物類を置く支持台として使用することもでき、各種物品に対する適用範囲を大幅に拡大することができる。
また、本発明に係わる物品支持装置の好適な例によれば、物品の大きさ、重量および形状などに応じて支持台の姿勢を変えることができ、各種物品に対する適用範囲のさらなる拡大を実現することができると共に、ＰＯＰ用の展示台としてに用いた場合には、商品展示の様々なバリエーションを選択することが可能となって、展示効果を一層高めることができる。
さらに、本発明に係わる物品支持装置の好適な例によれば、支持板と第２の支持板の２箇所で物品の支持を行うことができ、とくにＰＯＰ用の展示台として好適なものになる。また、第２の支持板を当該装置の設置面に接した状態にすれば、この第２の支持板にも滑り止めが設けてあるので、支持板をより安定した状態に保持することができ、さらには、第２の支持板の滑り止めが樹脂製であるため、設置面の損傷を防ぐことができる。
さらに、本発明に係わる物品支持装置の好適な例によれば、支持板を傾斜状態にした際に、その下側の端面に設けた樹脂製の滑り止めにより支持板を一層安定して保持することができ、また、設置面の損傷を防ぐことができる。
さらに、本発明に係わる物品支持装置の好適な例によれば、樹脂製の支持板に対して滑り止めを二重成形により一体的に形成したことにより、様々な形状および大きさの滑り止めを備えた支持板を容易に且つ大量に製造することが可能となって、当該装置を大量生産することができる。また、支持板から滑り止めが脱落するような心配も無く、良好な外観体裁を長く維持することができる。
【図面の簡単な説明】
図１は、本発明に係わる物品支持装置の第１の実施例を説明する斜視図、図２は、図１に示す物品支持装置の使用状態を説明する各々側面図（ａ）〜（ｃ）、図３は、図１に示す物品支持装置の正面図（ａ）、保持板の背面図（ｂ）および側面図（ｃ）、図４は、本発明に係わる物品支持装置の第２の実施例を説明する斜視図、図５は、図４に示す物品支持装置の使用状態を説明する側面図（ａ）〜（ｃ）、斜視図（ｄ）（ｅ）、および収納時の状態を説明する斜視図（ｆ）、図６は、本発明に係わる物品支持装置の第３の実施例を説明する斜視図、図７は、図６に示す物品支持装置の収納時の状態を説明する側面図（ａ）、および使用状態を説明する側面図（ｂ）〜（ｄ）、図８は、本発明に係わる物品支持装置の第４の実施例を説明する斜視図、図９は、本発明に係わる物品支持装置の第５の実施例を説明する斜視図、図１０は、図８および図９に示す物品支持装置の収納時の状態を説明する側面図（ａ）、および使用状態を説明する側面図（ｂ）〜（ｅ）、図１１は、本発明に係わる物品支持装置の第６の実施例を説明する斜視図、図１２は、図１１に示す物品支持装置の収納時の状態を説明する側面図（ａ）、および使用状態を説明する側面図（ｂ）、図１３は、本発明に係わる物品支持装置の第７の実施例を説明する斜視図、図１４は、本発明に係わる物品支持装置の第８の実施例を説明する斜視図、図１５は、本発明に係わる物品支持装置の第９の実施例を説明する斜視図、図１６は、本発明に係わる物品支持装置の第１０の実施例を説明する斜視図、図１７は、図１６に示す物品支持装置の収納時の状態を説明する側面図（ａ）、および使用状態を説明する側面図（ｂ）（ｃ）である。
【図１】
2003024284.tif 000003
【図２】
2003024284.tif 000004
【図３】
2003024284.tif 000005
【図４】
2003024284.tif 000006
【図５】
2003024284.tif 000007
【図６】
2003024284.tif 000008
【図７】
2003024284.tif 000009
【図８】
2003024284.tif 000010
【図９】
2003024284.tif 000011
【図１０】
2003024284.tif 000012
【図１１】
2003024284.tif 000013
【図１２】
2003024284.tif 000014
【図１３】
2003024284.tif 000015
【図１４】
2003024284.tif 000016
【図１５】
2003024284.tif 000017
【図１６】
2003024284.tif 000018
【図１７】
2003024284.tif 000019
【国際調査報告】
2003024284.tif 000020
2003024284.tif 000021
2003024284.tif 000022
2003024284.tif 000023